(57)【要約】【課題】最近大地震が頻繁に起きており、今後も大地震が起こる可能性がある。これに備えて家庭やホテル等では避難用品を用意している。しかし、避難用品は、普段使用しないので災害時にその所在を忘れている場合や、知らないで使用できない場合もある。また、地震発生と同時に散乱した家財道具等の下敷きになり、その所在が分からなくなる事もある。本発明は、停電時や土煙等粉塵飛沫時でも、避難用品をすぐに見つける事が可能で、迅速に避難する事が出来る装置を提供する。【解決手段】本発明を使用する事により、地震避難用品は平常時天井に設置されているので目障りな事も無く、地震発生と同時に本装置に連動し点灯した照明に照らされ、停電時や土煙等粉塵飛沫時でも、避難用品を天井よりぶら下げる事で、散乱した家財道具等の下敷きになり、その所在が分からなくなる事も無く避難用品を容易に見つけ出せ、迅速な避難が可能となる。【選択図】図１
2020174031.tif 000002
【特許請求の範囲】
【請求項１】
地震避難用品を、平常時は天井に設置しておき、地震発生時に天井より降下、天井よりぶら下がっている状態にする事で、家財道具等に埋まる事も無く、自動的に照明を点灯させ停電時や土煙等粉塵飛沫時でも照明によって避難用品が照らし出されるので避難用品を容易に見つける事が出来る。その避難用品を使用して迅速な避難を可能とする事を特徴とする装置。
【発明の詳細な説明】
【技術分野】
【０００１】  本発明は、最近頻繁に大地震が起きており、今後も南海トラフ地震等の大地震が起こる可能性がある。これに備えて、家庭やホテル等では、懐中電灯等の避難用品を用意している。しかし、懐中電灯等の避難用品は、普段使用しない事も多いため、災害時にその所在を忘れている場合や、ホテル等で元々その存在を知らないで使用できない場合もある。そこで、懐中電灯等の避難用品を地震発生時、天井よりぶら下がっている状態にする事で、その存在を忘れてしまっている人や、知らない人でも容易に見つける事が出来る。また、地震発生と同時に散乱した家財道具等の下敷きになり、その所在が分からなくなる事もなく、停電時や土煙等粉塵飛沫時でも、本装置に連動され点灯した照明で照らす事により、すぐに避難用品を見つける事が可能で、万が一建物が倒壊するような事があっても懐中電灯等の避難用品は糸で繋がっているので、点灯された照明を頼りにその糸を探せば懐中電灯等の避難用品を見つけ出す事も可能である。その結果、この装置に取り付けられた懐中電灯等の避難用品を使用して、迅速に避難出来る。
本発明は、上記の様に地震発生時懐中電灯等の避難用品を使用して迅速な避難を可能にするための装置、に関するものである。
【背景技術】
【０００２】  従来、地震避難用懐中電灯は机の上に置く（特許文献１）、枕元に置く、または、壁に取り付ける（特許文献２）等の方法で設置されている。そして、これらの地震避難用懐中電灯は地震の揺れで点灯する事が特徴とされる。
【先行技術文献】
【特許文献】
【０００３】
【特許文献１】特開２００６−７３４９２号公報
【特許文献２】特開２００５−２８５７３０号公報
【発明の概要】
【発明が解決しようとする課題】
【０００４】  しかしながら、以上の技術によれば、次のような欠点があった。
（イ）、机の上や枕元に置いていた懐中電灯等の避難用品も、また、壁に取り付ける方法で設置された懐中電灯等の避難用品も地震の大きな揺れで壁より外れて床に落ち、揺れと同時に床に散乱した家財道具の下敷きになり、その所在が分からなくなる。
（ロ）これらの懐中電灯は地震の揺れで点灯して所在を知らせる構造になっており、昼間や周りが明るい場合でも点灯し、点灯するが所在を見つけにくい。例え見つけ出されても、既に電池の消耗が激しくすぐに使用不可能になり避難所まで辿り着けなくなる可能性もある。
刺客地震に備えて準備していたにも拘らず、今までは、これらの懐中電灯等の避難用品を使用出来ないで避難困難の状態であった。
本発明は、以上の欠点を解決するために発明されたものである。
【課題を解決するための手段】
【０００５】  そこで、本発明は、懐中電灯等の避難用品を平常時は天井に設置されている事で目障りな事もなく、地震発生時地震の大きな揺れで天井より降下、吊り糸によりぶら下がっているので、家財道具が床に散乱しても、それに埋まる事なく、停電時や土煙等粉塵飛沫時でも照明を点灯させるため、その照明に照らされ天井よりぶら下がっているので、例えその存在を知らない人や忘れている人でも容易に見つけ使用可能である。
【発明の効果】
【０００６】  本発明を利用することによって、地震発生時、懐中電灯等の地震時避難用品が家財道具等に埋もれることもなく、光に照らされ天井よりぶら下がっているので、素早く手にし、迅速に避難することが可能となる。
【図面の簡単な説明】
【０００７】
【図１】この発明の一実施形態を示す断面図である。
【図２】この発明の一実施形態を示す断面拡大図である。
【図３】この発明の一実施形態を示す糸巻部・糸調整サルカンの詳細図である。
【図４】この発明の一実施形態を示すプランジャー・スイッチ部の詳細図である。
【図５】この発明の一実施形態を示す電気回路図である。
【図６】この発明の一実施形態を示す本装置下部斜視図である。
【発明を実施するための形態】
【０００８】  以下、この発明の一実施形態を、図１に示す。
本装置（Ａ）は、次の３つの部分、天井取付部（Ｃ）と本体（Ｄ）感度調整部（Ｅ）から構成されており
（イ）、天井取付け部（Ｃ）は、ボタン電池（１）の交換・糸（２）の巻き上げ作業時、メンテナンス等、この天井取付け部（Ｃ）から本体（Ｄ）を外すことが出来る様な構造になっている。
【０００９】  （ロ）、本体（Ｄ）には、懐中電灯等の避難用品（Ｂ）をぶら下げるための糸（２）を巻いた糸巻（３）部分、スイッチを動かすためのプランジャー（４）部分、地震に連動して点灯する照明用高輝度ＬＥＤ（５）、照明用高輝度ＬＥＤ（５）を点灯さすための電源ボタン電池（１）、マイナス端子（６）、プラス接点（７）とスイッチ接点（８）からなるスイッチ、電池モニターＬＥＤ（９）、平常時懐中電灯等の避難用品（Ｂ）を取り付けておくための本体強力磁石（１０）から構成されている。
【００１０】  （ハ）、感度調整部（Ｅ）は、懐中電灯等の避難用品（Ｂ）を本体（Ｄ）に取り付けておくための本体強力磁石（１０）と、懐中電灯等の避難用品（Ｂ）に取り付けられたＢ磁石（１１）との間隔を調整できるようにネジを切った調整外筒（１２）から構成されている。
【００１１】  本発明は以上の構成からなるので本発明を使用するときは、次のようにする。図２を参照に、本装置（Ａ）の糸（２）を糸巻（３）より引出して糸調整サルカン（１３）に懐中電灯等の避難用品（Ｂ）を取り付け、天井に吊り下げられた場合懐中電灯等の避難用品（Ｂ）が容易に取れる高さで、家財道具が倒れても懐中電灯等の避難用品（Ｂ）が下敷きになるなど影響のない天井に本装置（Ａ）を、取付ネジ（１４）で取り付ける。
【００１２】糸（２）の長さを、糸調整サルカン（１３）に巻き付け懐中電灯等の避難用品（Ｂ）が容易に取れる高さに糸（２）を糸調整サルカン（１３）に巻き付け糸止め（１５）にかけて固定し、懐中電灯等の避難用品（Ｂ）を糸調整サルカン（１３）に取り付け、ぶら下げて再度容易に取れる高さか、家財道具の下敷きにならないかを確認し、問題なければ天井取付け部（Ｃ）より本体（Ｄ）を外し、糸巻つまみ（１６）を回して糸（２）を巻き上げ、本体強力磁石（１０）に懐中電灯等の避難用品（Ｂ）に取り付けられたＢ磁石（１１）を引っ付ける。
【００１３】  これには第一次避難用品の手袋や軽量スニーカーを、懐中電灯等の避難用品（Ｂ）に取り付けられたベルクロ付ベルト（１７）で取り付ける事が可能である。地震を想定し本体を持って揺らしてみるか、手で押してみて、懐中電灯等の避難用品（Ｂ）が本体（Ｄ）より外れるように、感度調整部（Ｅ）の調整外筒（１２）を回転させ磁石の引力を調整する。磁石の間隔を広げることで磁石の引力を弱め懐中電灯等の避難用品（Ｂ）が外れやすくなり、また逆に、磁石の間隔を狭めることで磁石の引力を強め懐中電灯等の避難用品（Ｂ）を外れにくくする事が出来る。調整が終われば本体（Ｄ）を天井取付け部（Ｃ）にもどし地震待機状態となる。
【実施例】
【００１４】  地震が起これば、本体磁石（１０）から懐中電灯等の避難用品（Ｂ）が外れ糸（２）を引きながら懐中電灯等の避難用品（Ｂ）が降下、糸巻（３）より糸（２）が送り出され、懐中電灯等の避難用品（Ｂ）、が天井よりぶら下がった状態となる。【００１５】  本体から懐中電灯等の避難用品（Ｂ）が外れるとプランジャー（４）が下がりスイッチをオンにして照明用高輝度ＬＥＤ（５）が点灯する。これにより天井よりぶら下がっている懐中電灯等の避難用品（Ｂ）を停電時や土煙等粉塵飛沫時でも直ぐに見つけることが出来る。
その結果、迅速な避難が可能となる。【００１６】  各部分の詳細説明、
（イ）糸巻部・糸調整サルカンの説明、図３参照
懐中電灯等の避難用品（Ｂ）が降下する際、糸巻（３）のバックラッシュで糸（２）がもつれるのを防ぐためにバネ（１８）とバネ（１８）が糸巻（３）に絡まないようにするワッシャー（１９）がつけられており糸巻（３）の反対側には、糸巻（３）を中央に保持するためのスペーサー（２０）が有り、シャフト（２１）の先に糸（２）を巻き取るための糸巻つまみ（１６）がつけてある。糸（２）の先には糸調整サルカン（１３）がつけてあり、この糸調整サルカン（１３）には、懐中電灯等の避難用品（Ｂ）を取り付けるためのフック（２２）と糸（２）の長さを調整するための糸調整糸巻（２３）、糸（２）の長さを固定する糸止め（１５）があり。糸（２）の長さを調整する際、糸調整糸巻（２３）に糸（２）を巻付け糸止め（１５）に通し固定する。【００１７】  （ロ）プランジャー・スイッチ部分の説明、図４参照
平常時（ａ）プランジャー（４）は、懐中電灯等の避難用品（Ｂ）で押し上げられており、プラス接点（７）とスイッチ接点（８）離れている、地震で懐中電灯等の避難用品（Ｂ）が本体（Ｄ）から外れる（ｂ）とプランジャー（４）が下がりプラス接点（７）がスイッチ接点（８）に引っ付きスイッチがオンになる。この時プランジャー（４）はプランジャーバネ（２４）に押されスイッチのオン状態が確実となる。【００１８】  （ハ）電気回路の説明、図２・図５参照
ボタン電池（１）に繋がったプラス接点（７）に電池の有無をモニターするためのモニターＬＥＤ電流制限抵抗（２５）とモニターＬＥＤ（９）が繋がってボタン電池（１）のマイナス端子（６）に戻る。モニターＬＥＤ（９）は電池が有る場合常時点灯している。
また、それと並列に、ボタン電池（１）に繋がったプラス接点（７）とスイッチ接点（８）からなるスイッチ、と照明用高輝度ＬＥＤ電流制限抵抗（２６）と照明用高輝度ＬＥＤ（５）に繋がってボタン電池（１）のマイナス端子（６）に戻る。プラス端子（７）とスイッチ接点（８）が繋がると、この回路に電流が流れ照明用高輝度ＬＥＤ（５）が点灯する。【００１９】  「実施形態の効果」
この実施形態によれば、懐中電灯等の避難用品は、平常時天井に取り付けられており目障りにもならず、地震発生時に散らかった家財道具に埋まる事も無く、天井より、照明に照らされてぶら下がっているので、その懐中電灯等の避難用品を使用し迅速避難が出来る。
「他の実施形態」
本装置は、容易に設置出来る様、この装置の電源を内蔵ボタン電池にしているが、他の実施形態として商用電源に繋ぐことで停電時にも作動さす事も出来、充電バッテリーの使用も可能で照明の電池切れの心配もなくなる。また、建物施工時等はダウンライト等の中に仕込む事も可能で、照明を他の器具にする事や既設照明を連動させる事も可能である。
【符号の説明】
【００２０】Ａ、本装置      Ｂ、懐中電灯等の避難用品      Ｃ、天井取付部      Ｄ、本体
Ｅ、感度調整部
１、ボタン電池          ２、糸                    ３、糸巻
４、プランジャー        ５、照明用高輝度ＬＥＤ    ６、マイナス端子
７、プラス接点          ８、スイッチ接点          ９、電池モニターＬＥＤ
１０、本体強力磁石      １１、Ｂ磁石              １２、調整外筒
１３、糸調整サルカン    １４、取付ネジ            １５、糸止め
１６、糸巻つまみ        １７、ベルクロ付ベルト    １８、バネ
１９、ワッシャ―        ２０、スペーサー          ２１、シャフト
２２、フック            ２３、糸調整糸巻          ２４、プランジャーバネ
２５、モニターＬＥＤ電流制限抵抗    ２６、照明用高輝度ＬＥＤ電流制限抵抗
２７、糸通過穴
【図１】
2020174031.tif 000003
【図２】
2020174031.tif 000004
【図３】
2020174031.tif 000005
【図４】
2020174031.tif 000006
【図５】
2020174031.tif 000007
【図６】
2020174031.tif 000008